(57)【要約】【課題】バックライトを構成する素子の寿命に影響を与えることなく、バックライトの点灯状態の変化するタイミングと、液晶パネルの透過率変化のタイミングとの不一致に伴う画質の劣化を解消できるようにする。【解決手段】発光制御装置は、複数の光源領域にそれぞれ光源が配置され、その複数の光源を用いて液晶パネルを照明する発光手段について、複数の光源の発光を制御する。この発光制御装置は、複数の光源の点灯値の変化を検出する点灯値変化検出手段と、点灯値変化検出手段により検出される点灯値の変化に応じて複数の光源をパルス幅変調によってそれぞれ複数の点灯時刻で点灯させ、かつ複数の点灯時刻のうちの初回点灯時刻から最終点灯時刻までの点灯期間の後半に前半よりも多く点灯させる点灯制御手段とを有している。【選択図】図３
2009158275.tif 000002
【特許請求の範囲】
【請求項１】
複数の光源領域にそれぞれ光源が配置され、その複数の光源を用いて液晶パネルを照明する発光手段について、前記複数の光源の発光を制御する発光制御装置であって、
前記複数の光源の点灯値の変化を検出する点灯値変化検出手段と、
前記点灯値変化検出手段により検出される前記点灯値の変化に応じて前記複数の光源をパルス幅変調によってそれぞれ複数の点灯時刻で点灯させ、かつ前記複数の点灯時刻のうちの初回点灯時刻から最終点灯時刻までの点灯期間の後半に前半よりも多く点灯させる点灯制御手段とを有する発光制御装置。
【請求項２】
前記点灯制御手段は、前記複数の点灯時刻のいずれか少なくとも１つを遅延させて前記複数の光源を前記点灯期間の後半に点灯させる請求項１記載の発光制御装置。
【請求項３】
前記点灯制御手段は、前記複数の点灯時刻のうちの最も遅い最終時刻に集約して前記複数の光源を点灯させる請求項２記載の発光制御装置。
【請求項４】
前記点灯値変化検出手段により検出される前記点灯値の変化が決められた基準値よりも大きいか否かを判定する判定手段を更に有し、
前記点灯値変化検出手段は、前記判定手段により、前記点灯値の変化が前記基準値よりも大きいと判定されたときに検知信号を出力し、
前記点灯制御手段は、前記検知信号が出力されたときにだけ前記複数の光源を前記点灯期間の後半に点灯させる請求項１〜３のいずれか一項記載の発光制御装置。
【請求項５】
前記点灯制御手段は、前記検知信号が出力されないときは、前記複数の点灯時刻が前記点灯期間内で均等に並ぶようにして、前記複数の光源を点灯させる請求項４記載の発光制御装置。
【請求項６】
入力する映像信号に基づき前記複数の光源の点灯値を決定する点灯値決定手段を更に有し、
前記点灯値変化検出手段は、前記点灯値決定手段が決定した前記点灯値に基づいて、前記複数の光源の点灯値の変化を検出する請求項１〜５のいずれか一項記載の発光制御装置。
【請求項７】
液晶パネルと、複数の光源領域にそれぞれ光源が配置され、その複数の光源を用いて前記液晶パネルを照明する発光手段と、前記複数の光源の発光を制御する発光制御手段とを有する液晶表示装置であって、
前記複数の光源の点灯値の変化を検出する点灯値変化検出手段と、
前記点灯値変化検出手段により検出される前記点灯値の変化に応じて前記複数の光源をパルス幅変調によってそれぞれ複数の点灯時刻で点灯させ、かつ前記複数の点灯時刻のうちの初回点灯時刻から最終点灯時刻までの点灯期間の後半に前半よりも多く点灯させる点灯制御手段とを有する液晶表示装置。
【請求項８】
前記点灯制御手段は、前記複数の点灯時刻のいずれか少なくとも１つを遅延させて前記複数の光源を前記点灯期間の後半に点灯させる請求項７記載の液晶表示装置。
【請求項９】
前記点灯制御手段は、前記複数の点灯時刻のうちの最も遅い最終時刻に集約して前記複数の光源を点灯させる請求項８記載の液晶表示装置。
【発明の詳細な説明】
【技術分野】
【０００１】
本発明は、液晶パネル等を照明するバックライト等発光手段の発光を制御する発光制御装置およびそれを備えた液晶表示装置に関する。
【背景技術】
【０００２】
現在、テレビ、パーソナルコンピュータ、携帯電話機などでは画像表示手段として液晶表示装置が用いられている。液晶表示装置は液晶パネル自体が発光しないため、液晶パネルの背面側にバックライトを配置し、そのバックライトで液晶パネルを背面側から照明して画像を表示するようになっている。
【０００３】
バックライトを備えた従来の液晶表示装置において、バックライトを構成する各光源と表示画面とを対応させて複数の領域に分割し、表示画面の領域（画面領域）ごとに各光源を制御するエリア制御を行う液晶表示装置が知られている。
【０００４】
この種の液晶表示装置に関し、従来、液晶表示パネルの温度に応じてバックライトの点灯開始タイミングを調整する液晶表示装置が知られていた（例えば、特許文献１，２参照）。
【特許文献１】特開平１１−１４３３８９号公報
【特許文献２】特開２００７−１６３７０１号公報
【発明の開示】
【発明が解決しようとする課題】
【０００５】
ところで、エリア制御を行う液晶表示装置では、液晶パネルに映像を表示させる映像信号をバックライトの明るさに応じて補正している。このような液晶表示装置では、バックライトの点灯切り換えタイミングと、液晶パネルの透過率変化のタイミングとが一致していないときは、その差が輝度変化となって画質を劣化させるという課題があった。この点について詳しく述べれば次のとおりである。
【０００６】
バックライトが暗くなるときは、液晶パネルの透過率を上げるように映像信号を補正する。この場合、明るさの変化が大きいときは液晶パネルの変化も大きくなる。ところが、液晶パネルの応答性が良くなく、透過率が変化するのに時間がかかるため、液晶パネル側で目的の明るさが確保できるようになる前にバックライトの明るさだけが変化してしまう。そのため、変化部分で目的の光量が確保されず、変化部分が目的の明るさよりも暗く表示されてしまう。
【０００７】
逆に、バックライトが明るく変化するときは、液晶パネルの透過率を下げなければならない。しかしながら、液晶パネルの透過率が下がり、光量を抑えられるようになる前の状態でバックライトだけが先に明るく変化するため、変化部分の光量が目的とする光量よりも多くなり、変化部分が明るく変化したように見えてしまう。
【０００８】
このようなことから、液晶パネルの透過率がある程度目標値に近づいてからバックライトの明るさを変化させるという考えもある。しかしながら、バックライトの発光時間を短くすると、その分、発光量を増やさねばならず、これでは、バックライトを構成する素子の寿命に影響を与えることとなる。
【０００９】
そこで、本発明は上記課題を解決するためになされたもので、バックライトを構成する素子の寿命に影響を与えることなく、バックライトの点灯状態の変化するタイミングと、液晶パネルの透過率変化のタイミングとの不一致に伴う画質の劣化を解消できるようにした発光制御装置およびそれを備えた液晶表示装置を提供することを目的とする。
【課題を解決するための手段】
【００１０】
上記課題を解決するため、本発明は、複数の光源領域にそれぞれ光源が配置され、その複数の光源を用いて液晶パネルを照明する発光手段について、複数の光源の発光を制御する発光制御装置であって、複数の光源の点灯値の変化を検出する点灯値変化検出手段と、点灯値変化検出手段により検出される点灯値の変化に応じて複数の光源をパルス幅変調によってそれぞれ複数の点灯時刻で点灯させ、かつ複数の点灯時刻のうちの初回点灯時刻から最終点灯時刻までの点灯期間の後半に前半よりも多く点灯させる点灯制御手段とを有する発光制御装置を特徴とする。
【００１１】
また、本発明は、液晶パネルと、複数の光源領域にそれぞれ光源が配置され、その複数の光源を用いて前記液晶パネルを照明する発光手段と、複数の光源の発光を制御する発光制御手段とを有する液晶表示装置であって、複数の光源の点灯値の変化を検出する点灯値変化検出手段と、点灯値変化検出手段により検出される点灯値の変化に応じて複数の光源をパルス幅変調によってそれぞれ複数の点灯時刻で点灯させ、かつ複数の点灯時刻のうちの初回点灯時刻から最終点灯時刻までの点灯期間の後半に前半よりも多く点灯させる点灯制御手段とを有する液晶表示装置を提供する。
【発明の効果】
【００１２】
以上詳述したように、本発明によれば、バックライトを構成する素子の寿命に影響を与えることなく、バックライトの点灯状態の変化するタイミングと、液晶パネルの透過率変化のタイミングとの不一致に伴う画質の劣化を解消できるようにした発光制御装置およびそれを備えた液晶表示装置が得られる。
【発明を実施するための最良の形態】
【００１３】
以下、本発明の実施の形態について説明する。なお、同一要素には同一符号を用い、重複する説明は省略する。
【００１４】
図１，２を参照して本発明の実施の形態に係る液晶表示装置１００の構成について説明する。図１は本発明の実施の形態に係る液晶表示装置１００の構成を示す分解斜視図、図２は光源領域および光源の構成を示す斜視図である。
【００１５】
液晶表示装置１００は液晶テレビ等に用いられ、図１に示すように、バックライト１４０と、液晶パネル１５０とを有している。
【００１６】
バックライト１４０は、発光部（発光手段）１４１と、発光部１４１の前面に配置されたプリズムシート１４３を挟む一対の拡散板１４２，１４４とを有し、発光手段としての機能を有している。
【００１７】
発光部１４１は、パネル形状を有しており、複数の光源領域１４５がｍ行ｎ列の縦横規則的に配置されたマトリクス構造を有している。なお、図１では、一例として５行８列の光源領域１４５を備えた発光部１４１を示している。
【００１８】
光源領域１４５は、図２に示すように、拡散板１４２等との重なり方向に延びる隔壁１４６によって四方を囲まれている。
【００１９】
また、各光源領域１４５には、ＲＧＢ三原色の３個のＬＥＤ１６１，１６２，１６３からなる光源１４８が配置されている。光源１４８は、赤色ＬＥＤ１６１、緑色ＬＥＤ１６２及び青色のＬＥＤ１６３によって構成され、赤緑青の３色を混ぜながら前面（液晶パネル１５０）に向けて光を出射する。各光源領域１４５からの出射光によって液晶パネル１５０の背面側が照明され、出射光の液晶パネル１５０の透過を調製して映像が表示される。
【００２０】
そして、液晶表示装置１００は各光源領域１４５に配置されている複数の光源１４８によってバックライト１４０が全面発光して、液晶パネル１５０に背面から光を照明する直下型方式になっている。
【００２１】
液晶パネル１５０は一対の偏光板１５５，１５７と、その偏光板１５５，１５７の間に挟まれた液晶１５６とを有している。
【００２２】
次に、図３を参照してバックライト制御部２００の構成について説明する。ここで、図３はバックライト制御部２００の構成をバックライト１４０および液晶パネル１５０とともに示すブロック図である。
【００２３】
バックライト制御部２００はバックライト１４０および液晶パネル１５０とともに液晶表示装置１００に備えられていて、バックライト１４０を構成する複数の光源１４８の発光を制御する発光制御装置としての機能を有している。
【００２４】
バックライト制御部２００は、映像信号遅延部１０１と、映像信号特徴値検出部１０２と、点灯値決定部１０３と、補正係数演算部１０４と、点灯値変化検出部１０５と、点灯制御部１０６と、映像信号補正部１０７とを有している。
【００２５】
そして、バックライト制御部２００は、液晶パネル１５０に映像を表示させるための映像信号Ｖｇを入力する。
【００２６】
映像信号Ｖｇは映像信号遅延部１０１と映像信号特徴値検出部１０２に入力される。映像信号遅延部１０１は映像信号Ｖｇを遅延させて映像遅延信号Ｖｇ１を映像信号補正部１０７に出力する。映像信号特徴値検出部１０２は入力された映像信号Ｖｇから特徴値Ｖｔを検出し、その特徴値Ｖｔを点灯値決定部１０３に出力する。点灯値決定部１０３は入力された特徴値Ｖｔを元にして光源領域１４５毎の点灯値を決定し、決定した点灯値を点灯値データＶｓとして、補正係数演算部１０４、点灯値変化検出部１０５および点灯制御部１０６に出力する。
【００２７】
点灯値変化検出部１０５は、点灯値データＶｓに基づいて光源領域１４５毎の点灯値の変化を検出し、検出結果を示す変化検出データＳｇ１を点灯制御部１０６に出力する。また、点灯値変化検出部１０５は判定手段としての機能を有している。すなわち、点灯値変化検出部１０５は点灯値データＶｓに基づき、各光源領域１４５の点灯値の変化が基準値よりも大きいか否かを判定し、点灯値の変化が基準値よりも大きいときは、そのことを示す検知信号Ｓｇ２を点灯制御部１０６に出力する。
【００２８】
点灯制御部１０６は、変化検出データＳｇ１に応じたＰＷＭによる点灯制御データＢｇをバックライト１４０に出力して、バックライト１４０を点灯させる。また、点灯制御部１０６は、点灯値変化検出部１０５から検出信号Ｓｇ２が出力されたときは、点灯制御データＢｇを変更して出力する。詳しくは後述するが、検出信号Ｓｇ２が出力されたとき、点灯制御部１０６は、光源１４８の点灯タイミングを点灯期間内均等型とする点灯制御データＢｇを最終タイミング集約型とする点灯制御データＢｇに変更して出力し、光源１４８を点灯期間の後半に前半よりも多く点灯させる。
【００２９】
次に、補正係数演算部１０４は点灯値データＶｓを元にして映像信号の補正係数Ｃｔを演算して求める。補正係数演算部１０４は求めた補正係数Ｃｔを映像信号補正部１０７に出力する。映像信号補正部１０７は、映像信号遅延部１０１からの映像遅延信号Ｖｇ１と補正係数Ｃｔとから補正映像信号Ｖｇｓを求め、求めた補正映像信号Ｖｇｓを液晶パネル１５０に出力する。
【００３０】
次に、以上の構成を有するバックライト制御部２００の動作内容について、図４を参照して説明する。
【００３１】
図４（ａ），（ｂ）は映像の表示イメージを示していて、ハッチングを付していない領域Ａ、Ｂが明るい領域で、それ以外のハッチングを付した部分は暗い領域を示している。図４（ｂ）は図４（ａ）の１フレーム後の映像を示している。
【００３２】
ところで、前述の映像信号特徴値検出部１０２と点灯値決定部１０３とによって、点灯値データＶｓが決定されるが、ここでは、領域Ａと領域Ｂの重なる部分が点灯するとして、点灯値データＶｓが決定されているとする。図４（ａ），（ｂ）それぞれに対応するバックライト１４０の光源領域１４５別の点灯状態を示すと、図５（ａ），（ｂ）のようになる。図５（ａ），（ｂ）では、ドットを付した領域Ａ，Ｂが点灯状態を示していて、マス目の１つが光源領域１４５を示している。図４（ａ）には図５（ａ）が対応し、図４（ｂ）には図５（ｂ）が対応している。
【００３３】
そうすると、図４（ａ）のフレームが表示されてから図４（ｂ）のフレームが表示されるまでの期間（１フレーム期間）に、点灯している光源領域１４５が領域Ａから領域Ｂへと変化する。そのため、バックライト１４０の点灯値は、領域Ａ，Ｂの重なり合わない部分、すなわち、図６に示す領域Ｃ、Ｄにおいて変化することになる。この点灯値の変化が基準値よりも大きいとすると、点灯値変化検出部１０５から検出信号Ｓｇ２が出力される。この場合、点灯値変化検出部１０５は領域Ｃ、Ｄについて、点灯値の変化が基準値よりも大きいと判定している。
【００３４】
さて、図７（ａ）は補正係数演算部１０４にて求めたあるライン上のバックライト１４０の点灯状態を示し、図７（ｂ）は同じく補正係数を示している。図７（ａ），（ｂ）において、実線は図４（ａ）に対応し、波線は図４（ｂ）に対応している。
【００３５】
図７（ａ）に示すように、バックライト１４０の表面上の明るさは点灯位置から離れるほど小さくなり、表面が暗くなる。そのため、もとの明るさを表示するためには、図７（ｂ）のように点灯位置から離れるほど補正係数を大きくする必要がある。
【００３６】
そのため、図８（ａ）に示した映像信号Ｖｇの値（映像データ値）に対して、図７（ｂ）に示す補正係数が乗算されると、図８（ｂ）に示すような補正映像データ値が得られる。このような値の補正映像信号Ｖｇｓが液晶パネル１５０に出力されるが、実線部分と波線部分との差に応じた液晶パネル１５０での透過率変化と、図７（ａ）に示したバックライト１４０の点灯状態の変化のタイミングとが一致していることが必要となる。
【００３７】
ところで、一般に液晶パネル１５０の液晶パネルは、動画ボケが指摘されるように応答速度が遅いという点は広く知られたことである。すなわち、液晶パネルに入力する映像信号に応じた本来必要な透過率が確保されるまでにはある程度の時間がかかり、映像信号の入力タイミングから時間の遅れが発生するということである。
【００３８】
一方、バックライト１４０等のバックライトは、赤色ＬＥＤ１６１等ＬＥＤの応答速度が速い。バックライトは、液晶パネルと同じタイミングで点灯制御データが入力すると、液晶パネルよりも早く短時間で目標の明るさで点灯する。バックライト制御部２００では、この高速応答を考慮し、点灯時間を時分割とし、バックライト１４０をある明るさで数回に分けて点灯させるＰＷＭ（パルス幅変調，Pulse  Width  Modulation）によって階調制御を行っている。
【００３９】
ここで、図９はＰＷＭによるバックライト１４０の点灯パターンの一例を示す図で、図９（ａ）は点灯期間内均等の点灯パターン、（ｂ）は最終タイミング集約型の点灯パターンを示している。横軸は時間ｔ、縦軸は明るさＬを示している。図９（ａ）に示すように、点灯期間内均等の点灯パターンでは、初回点灯時刻ｔ１から最終点灯時刻ｔ４までの点灯期間Ｔにおける時刻ｔ１、ｔ２、ｔ３、ｔ４に点灯Ｐ１、Ｐ２、Ｐ３、Ｐ４がなされ、点灯タイミングが点灯期間Ｔで均等となるようにしてバックライト１４０を点灯させている。
【００４０】
これに対し、最終タイミング集約型の点灯パターンでは、最終点灯時刻ｔ４の直前の時刻ｔ１１、ｔ１２、ｔ１３と、最終点灯時刻ｔ４とで点灯Ｐ１、Ｐ２、Ｐ３、Ｐ４がなされ、最終点灯時刻ｔ４に集約して（まとめて）光源１４８を点灯させている。
【００４１】
図９（ａ）、（ｂ）のどちらも同じ階調表現ができるが、液晶の応答速度が遅い場合には、図９（ｂ）のほうが液晶パネル側の透過率が目標に近づいた状態で、バックライト１４０が点灯開始になる。
【００４２】
そして、図１０は、透過率が大きく変化する場合の液晶パネル１５０における透過率変化を示した図で、図１０（ａ）は透過率が上がる場合、図１０（ｂ）は透過率が下がる場合を示している。横軸は時間ｔ、縦軸は透過率Ｌｔを示している。いずれの場合も、透過率が目標値Ｌｏ１、Ｌｏ２になるまでに時間を要し、応答速度が遅いことが理解される。
【００４３】
このような液晶パネル１５０を用いてバックライト１４０を点灯させたときに、液晶パネル１５０の明るさがどのようになるかを図示すると、図１１、図１２のようになる。
【００４４】
図１１は点灯期間内均等の点灯パターンでバックライト１４０を点灯させた場合を示し、図１１（ａ）は透過率が上がる場合、図１１（ｂ）は透過率が下がる場合である。
【００４５】
図１１に示すように、液晶パネル１５０は応答速度が遅いため、透過率が大きく変化する場合、時刻ｔ１、ｔ２、ｔ３、ｔ４でバックライト１４０の点灯Ｐ１、Ｐ２、Ｐ３、Ｐ４がなされても、図の斜線部分が透過率の目標値Ｌｏ１、Ｌｏ２との相違として現れてしまい、液晶パネル１５０上では目標とする光量を確保することができない。そのため、液晶パネル１５０には、図１３に示すように、移動方向のエッジ部分に応答が間に合わないことによる明暗部分が一瞬発生することになり、画質を劣化させてしまう。
【００４６】
一方、図１２は最終タイミング集約型の点灯パターンでバックライト１４０を点灯させた場合を示し、図１２（ａ）は透過率が上がる場合、図１２（ｂ）は透過率が下がる場合である。
【００４７】
このようにすると、透過率が目標値Ｌｏ１、Ｌｏ２にほぼ到達する時点でバックライト１４０を点灯させることができるので、液晶パネル１５０上では目標とする光量を確保することができる。そのため、液晶パネル１５０に図１３の場合のような明暗部分が発生することはなく、画質が劣化することもない。
【００４８】
しかしながら、明るさの変化が基準値よりも小さい通常時においても、図９（ｂ）に示した最終タイミング集約型でバックライト１４０を発光させると、画面上にフリッカが現れ、画質劣化を招くことになる。そのため、通常時は、点灯期間内均等の点灯パターンで点灯させておくことが必要である。したがって、バックライト制御部２００では、点灯値変化検出部１０５が検知信号Ｓｇ２を出力したときにだけ、点灯制御部１０６が最終タイミング集約型で点灯させるようにしている。
【００４９】
以上のように、バックライト制御部２００では、バックライト１４０の点灯状態が大きく変化するときは、最終タイミング集約型でバックライト１４０を点灯させることにより、点灯期間Ｔの後半にまとめてバックライト１４０を点灯させている。そのため、バックライト１４０の点灯状態が大きく変化するときは、液晶パネル１５０の透過率が目標とする値に到達するまで、バックライト１４０の点灯開始を待てるようになる。
【００５０】
したがって、バックライト１４０の点灯状態の変化のタイミングと、液晶パネル１５０の透過率変化のタイミングとの差を縮小でき、目標とする明るさで映像を表示することができる。これにより、バックライト１４０の点灯状態の変化に対して液晶パネル１４０の透過率が遅延することに伴う輝度変化の発生を抑制でき、画質劣化を防止することができる。しかも、点灯期間内均等の点灯パターンと、最終タイミング集約型の点灯パターンとでは、光源１４８の点灯回数および点灯している時間は同じなので、素子（ＬＥＤ）の寿命に影響を与えることもない。
【００５１】
以上の説明では、バックライト制御部２００では、バックライト１４０の点灯状態が大きく変化する場合に、バックライト１４０の点灯パターンを最終タイミング集約型に変更する場合を例にとって説明しているが、点灯パターンは図１４に示すようにすることもできる。
【００５２】
図１４（ａ）では、初回点灯時刻ｔ１を３回目の点灯時刻ｔ３と、最終点灯時刻ｔ４の間の時刻ｔ１５に変更している。この点灯パターンでも、点灯する比率を点灯期間Ｔの後半で高くして（点灯期間Ｔの半分のＴ／２のうち、後半の方が前半よりも多く点灯している）バックライト１４０を点灯させることができるので、液晶パネル１５０の透過率が目標に近い状態でより多くバックライト１４０が点灯する。
【００５３】
また、図１４（ｂ）では、初回点灯時刻ｔ１と２回目の点灯時刻ｔ２を３回目の点灯時刻ｔ３直前の時刻ｔ１６、ｔ１７に変更している。この点灯パターンでも、点灯する比率を点灯期間Ｔの後半で高くしてバックライト１４０を点灯させることができるので、液晶パネル１５０の透過率が目標に近い状態でより多くバックライト１４０が点灯する。
【００５４】
したがって、図１４（ａ）、（ｂ）でも、バックライト１４０の点灯状態の変化に対して液晶パネル１４０の透過率が遅延することに伴う輝度変化の発生を抑制でき、画質劣化を防止することができる。点灯時刻ｔ１、ｔ２、ｔ３、ｔ４のいずれか少なくとも１つを遅延させるなどして、バックライト１４０を点灯期間Ｔの後半に前半よりも多く点灯させれば液晶パネル１５０の透過率遅延に伴う輝度変化の発生を抑制できる。
【００５５】
また、以上の説明では、点灯制御部１０６がＰＷＭによる点灯制御データＢｇを出力する場合を例にとって説明しているが、ＰＷＭによらない点灯制御データＢｇを出力する場合にも適用することができる。
【００５６】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００５７】
【図１】本発明の実施の形態に係る液晶表示装置の構成を示す分解斜視図である。
【図２】発光領域および光源の構成を示す斜視図である。
【図３】バックライト制御部の構成をバックライトおよび液晶パネルとともに示すブロック図である。
【図４】（ａ）映像の表示イメージを示していて、ハッチングを付していない領域Ａ、Ｂが明るい領域でそれ以外のハッチングを付した部分は暗い領域を示している。（ｂ）は（ａ）の１フレーム後の映像を示している。
【図５】図４に対応するバックライトの光源領域別の点灯状態を示し、（ａ）は図４（ａ）に対応する図、（ｂ）は図４（ｂ）に対応する図である。
【図６】図５に対応して、バックライトの点灯状態の変化する部分を示した図である。
【図７】（ａ）は補正係数演算部にて求めたあるライン上のバックライトの点灯状態を示し、（ｂ）は同じく補正係数を示している。
【図８】（ａ）は図４（ａ）に対応する映像データ値を示し、（ｂ）は補正映像データ値を示す図である。
【図９】バックライトの点灯パターンの一例を示し、（ａ）は点灯期間内均等の点灯パターンを示す図で、（ｂ）は最終タイミング集約型の点灯パターンを示す図である。
【図１０】透過率が大きく変化する場合の液晶パネルにおける透過率変化を示した図で、（ａ）は透過率が上がる場合、（ｂ）は透過率が下がる場合を示している。
【図１１】点灯期間内均等の点灯パターンでバックライトを点灯させた場合を示し、（ａ）は透過率が上がる場合、（ｂ）は透過率が下がる場合を示している。
【図１２】最終タイミング集約型の点灯パターンでバックライトを点灯させた場合を示し、（ａ）は透過率が上がる場合、（ｂ）は透過率が下がる場合である。
【図１３】移動方向のエッジ部分に明暗部分が発生したときの画像を示す図である。
【図１４】バックライトの別の点灯パターンを示す図で、（ａ）は初回点灯時刻の点灯時刻を変更した場合、（ｂ）は初回点灯時刻との２回目の点灯時刻を変更した場合を示す図である。
【符号の説明】
【００５８】
１００…液晶表示装置、１０５…点灯値変化検出部、１０６…点灯制御部、１４０…バックライト、１４１…発光部、１４５…光源領域、１４８…光源、１５０…液晶パネル、２００…バックライト制御部。
【図１】
2009158275.tif 000003
【図２】
2009158275.tif 000004
【図３】
2009158275.tif 000005
【図４】
2009158275.tif 000006
【図５】
2009158275.tif 000007
【図６】
2009158275.tif 000008
【図７】
2009158275.tif 000009
【図８】
2009158275.tif 000010
【図９】
2009158275.tif 000011
【図１０】
2009158275.tif 000012
【図１１】
2009158275.tif 000013
【図１２】
2009158275.tif 000014
【図１３】
2009158275.tif 000015
【図１４】
2009158275.tif 000016